(57)【特許請求の範囲】
【請求項１】
野地板に固定されるケラバ基材と、屋根のケラバ部を覆うとともに屋根上の屋根葺き材の端部を覆うケラバ化粧材とを備え、
前記ケラバ基材が、受け部と基材側固定部とを備え、
前記ケラバ化粧材が、前記受け部に係合する係合部と上下の高さ方向に並ぶ複数の化粧材側固定部とを備え、
前記係合部が、前記受け部に対しての高さ位置を前記屋根葺き材の高さに応じて調整可能に係合するとともに、前記基材側固定部が、前記化粧材側固定部のいずれかと選択的に係合することで、前記ケラバ基材に前記ケラバ化粧材が取り付けられるように構成されていることを特徴とするケラバ部材。
【請求項２】
前記受け部と前記係合部とが、前記受け部に対する前記係合部の位置が第一の位置にある状態と、前記第一の位置よりも上方にある第二の位置にある状態で係合するように構成されていることを特徴とする請求項１に記載のケラバ部材。
【請求項３】
前記ケラバ基材が、前記野地板に固定される固定板と、捨板水切とを備え、前記受け部は前記固定板から上方に突出するように形成され、前記ケラバ化粧材が、化粧上片と、この化粧上片の端部から下方に突出する化粧垂下片とを備え、前記係合部が前記化粧上片から下方に突出するように形成され、前記固定板が、その端部に前記基材側固定部を備え、前記化粧垂下片が前記基材側固定部と係合する前記複数の化粧材側固定部を備えることを特徴とする請求項１又は２に記載のケラバ部材。
【請求項４】
前記基材側固定部が、下方に開口する凹部を備え、前記化粧材側固定部が、斜め上方に突出して前記凹部におさまる凸状の形状を有することを特徴とする請求項１〜３のいずれか一項に記載のケラバ部材。
【発明の詳細な説明】
【技術分野】
【０００１】
本発明は、屋根のケラバに取り付けて使用されるケラバ部材に関するものである。
【背景技術】
【０００２】
従来より、切妻屋根など屋根の妻側端部のケラバには、ケラバを化粧するためにケラバ包みを取り付けることが行われている（例えば、特許文献１参照）。図６（ａ）は、屋根の一般的なケラバ構造を示す。この構造では、垂木３１によって支持された野地板２０の上に、アスファルトルーフィングなどの防水シート３０が敷設されている。野地板２０の側端部２０ａの上には、防水シート３０を介してのぼり木４０が取り付けられている。また、野地板２０の側端部２０ａの下側には、荒破風２１が取り付けられている。荒破風２１の表面には化粧破風板４１が設けられている。図６（ｂ）に示すように、ケラバ包み４５は、野地板２０の側端面、のぼり木４０及び野地板２０の上面を覆うように配置されて、のぼり木４０に釘やビスで固定されるものである。
【０００３】
このような従来の屋根のケラバ構造においては、ケラバ包みを固定するためにケラバ包みからのぼり木へ釘等を打ち込んでいるため、この釘等を伝って、のぼり木に雨水等がしみ込むことがある。このようなのぼり木への水の浸入により、木材が経年的に腐朽等していく可能性がある。そのため、のぼり木の交換、補修等を高頻度で行う必要があった。
【先行技術文献】
【特許文献】
【０００４】
【特許文献１】特開２００９−２０９６１０号公報
【発明の概要】
【発明が解決しようとする課題】
【０００５】
本発明は上記の点に鑑みてなされたものであり、屋根のケラバにおける水の浸入を抑制するケラバ部材を提供することを目的とするものである。
【課題を解決するための手段】
【０００６】
本発明に係るケラバ部材は、野地板に固定されるケラバ基材と、屋根のケラバ部を覆うとともに屋根上の屋根葺き材の端部を覆うケラバ化粧材とを備え、ケラバ基材が、受け部と基材側固定部とを備え、ケラバ化粧材が、その受け部に係合する係合部と上下の高さ方向に並ぶ複数の化粧材側固定部とを備え、係合部が、その受け部に対しての高さ位置を屋根葺き材の高さに応じて調整可能に係合するとともに、基材側固定部が、化粧材側固定部のいずれかと選択的に係合することで、ケラバ基材にケラバ化粧材が取り付けられるように構成されていることを特徴とするものである。
【０００７】
本発明において、受け部と係合部とが、受け部に対する係合部の位置が第一の位置にある状態と、第一の位置よりも上方にある第二の位置にある状態で係合するように構成されていることが好ましい。
【０００８】
本発明において、ケラバ基材が、野地板に固定される固定板と、捨板水切とを備え、受け部は固定板から上方に突出するように形成され、ケラバ化粧材が、化粧上片と、この化粧上片の端部から下方に突出する化粧垂下片とを備え、係合部が化粧上片から下方に突出するように形成され、固定板が、その端部に基材側固定部を備え、化粧垂下片が基材側固定部と係合する複数の化粧材側固定部を備えることが好ましい。
本発明において、基材側固定部が、下方に開口する凹部を備え、化粧材側固定部が、斜め上方に突出して前記凹部におさまる凸状の形状を有することが好ましい。
【発明の効果】
【０００９】
本発明によれば、ケラバ部材の取り付けにおいて、ケラバ部材からのぼり木へ釘等を打ち込む必要がなくなるため、屋根のケラバにおける水の浸入を抑制することができるものである。
【図面の簡単な説明】
【００１０】
【図１】本発明の実施の形態の一例を示す断面図である。
【図２】ケラバ部材の一例を示す一部の斜視図である。
【図３】同上の実施の形態における一態様を示す一部の断面図である。
【図４】同上の他の態様を示す一部の断面図である。
【図５】ケラバ部材の他の一例を示す一部の斜視図である。
【図６】従来例を示すものであり、（ａ）は斜視図、（ｂ）は断面図である。
【発明を実施するための形態】
【００１１】
以下、本発明を実施するための形態を説明する。
【００１２】
図１に実施の形態の一例を示す。屋根のケラバは、野地板２０の側端部２０ａの下面に垂木３１を設け、また、垂木３１よりも外側（野地板２０の端面側）において野地板２０の側端部２０ａの下面に荒破風２１を設けて形成されている。さらに、野地板２０の上面には、防水シート３０が敷設されている。尚、６０は屋根葺き材を示す。
【００１３】
ケラバ部材Ａは、野地板２０上に固定されるケラバ基材１と、このケラバ基材１に取着されるケラバ化粧材１１とを、備える。
【００１４】
ケラバ基材１は、長尺な部材である。図２に示すように、このケラバ基材１は、固定板２と、受け部３と、捨板水切４とを、備える。
【００１５】
固定板２は、野地板２０上に固定される板状の部材である。固定板２は、その長手方向と直交すると共にその厚み方向と直交する方向（以下、短手方向という）に第一の端部と、この第一の端部とは反対側にある第二の端部とを備える。第二の端部には、基材側固定部５が形成されている。基材側固定部５は、下方に開口する凹部である。
【００１６】
受け部３は、固定板２の第一の端部から上方に突出するように形成されている。受け部３は、第一の受け片６と、この第一の受け片６よりも固定板２の第二の端部側の位置に形成されている第二の受け片７とを備える。第一の受け片６と第二の受け片７とは、固定板２の短手方向に対向するように形成され、第一の受け片６と第二の受け片７との間に、上方に開口する凹部が形成されている。凹部の内面には、第一の受け片６の、第二の受け片７と対向する面に、第二の受け片７へ向けて突出する第一の凸部８及び第二の凸部９が形成されている。第二の凸部９は、第一の凸部８の上方に形成されており、第一の凸部８及び第二の凸部９は、上下方向に間隔をあけて並ぶように形成されている。
【００１７】
捨板水切４は、板状の部材であり、固定板２の短手方向において、固定板２の第一の端部から固定板２の第二の端部とは反対側に向かって延出されている。
【００１８】
ケラバ化粧材１１は、長尺な部材である。図２に示すように、このケラバ化粧材１１は、化粧上片１２と、化粧垂下片１３と、係合部１４とを、備える。
【００１９】
化粧上片１２は、板状の部材であり、その短手方向に第一の端部と、この第一の端部とは反対側にある第二の端部とを備える。
【００２０】
化粧垂下片１３は、板状の部材であり、化粧上片１２の第二の端部から化粧上片１２と垂直な方向に垂下して形成されている。また、化粧垂下片１３には、化粧上片１２側の面に、二つの化粧材側固定部１５（第一の化粧材側固定部１５ａ及び第二の化粧材側固定部１５ｂ）が形成されている。第一の化粧材側固定部１５ａは、第二の化粧材側固定部１５ｂの上方に形成されており、第一の化粧材側固定部１５ａ及び第二の化粧材側固定部１５ｂは、上下方向に間隔をあけて並ぶように形成されている。第一の化粧材側固定部１５ａ及び第二の化粧材側固定部１５ｂは、斜め上方に向けて突出する凸状の形状に形成されている。さらに、第一の化粧材側固定部１５ａ及び第二の化粧材側固定部１５ｂにおける凸状の形状は、基材側固定部５の下方に開口する凹部におさまる形状に形成されている。
【００２１】
係合部１４は、化粧上片１２の第一の端部と、第二の端部との間から化粧上片１２と垂直な方向に垂下し、且つ化粧垂下片１３と対向するように形成されている。そして、係合部１４の下端部には、凸部１６が形成されている。この凸部１６は、化粧垂下片１３とは反対側に向けて突出するように形成されている。
【００２２】
ケラバ基材１とケラバ化粧材１１は、例えばアルミニウムなどの金属や、樹脂等を押出成形するなどして形成されるものである。
【００２３】
次に、上記のケラバ基材１とケラバ化粧材１１とを備えるケラバ部材Ａを、屋根のケラバに取り付ける方法について説明する。
【００２４】
まず、屋根のケラバにおいて野地板２０上に、ケラバ基材１を固定板２の第二の端部が外方を向くように配置して固定する。尚、本実施形態では、ケラバ基材１と野地板２０との間に、防水シート３０を介在させる。
【００２５】
ケラバ基材１は、例えば、固定板２から野地板２０へ向けて釘、ビス等の固定具を打ち込むことにより、固定される。また、捨板水切４は、屋根葺き材６０と、野地板２０及び防水シート３０との間に、介在させる。
【００２６】
次に、ケラバ化粧材１１を化粧上片１２の第二の端部が外方を向くようにして、ケラバ基材１の上方に配置する。このケラバ化粧材１１の係合部１４を、ケラバ基材１の受け部３の凹部内に押し込むことで、図３に示すように、係合部１４と受け部３とを係合させる。これにより、ケラバ基材１にケラバ化粧材１１を取り付ける。図３に示す態様では、凸部１６が第一の凸部８の下方に配置されるまで、係合部１４が受け部３へ押し込まれる。このため、凸部１６が第一の凸部８に引っかかって抜け止めされ、これにより、係合部１４と受け部３とが係合している。このように、ケラバ基材１の受け部３と、ケラバ化粧材１１の係合部１４とを係合させることで、ケラバ部材Ａの屋根への取り付けにおいて、従来のようにのぼり木４０を敷設する必要がなくなる。これにより、ケラバ部材Ａの取り付けを容易にすることができ、施工の簡易化が図れるものである。更に、ケラバ部材Ａからのぼり木へ釘等を打ち込む必要がなくなるため、屋根のケラバにおける水の浸入を抑制することができるものである。
【００２７】
更に、図３に示す態様では、ケラバ基材１にケラバ化粧材１１を取り付ける際、ケラバ基材１の固定板２に形成されている、基材側固定部５と、ケラバ化粧材１１の化粧垂下片１３に形成されている、第一の化粧材側固定部１５ａとを係合させる。これにより、ケラバ基材１と、ケラバ化粧材１１との連結強度をより強固なものにすることができ、ケラバ部材Ａのぐらつきを防止することができるものである。
【００２８】
本実施形態では、図４に示すように、ケラバ基材１にケラバ化粧材１１が取り付けられてもよい。この図４に示す態様では、凸部１６が第一の凸部８と、第二の凸部９との間の位置に配置されるまで、係合部１４が受け部３へ押し込まれる。このため、凸部１６が第二の凸部９に引っかかって抜け止めされ、これにより、係合部１４と受け部３とが係合している。この場合、ケラバ基材１の基材側固定部５と、ケラバ化粧材１１の第二の化粧材側固定部１５ｂとを係合させる。その他の構成は、上記図３のものと同様である。
【００２９】
上記の通り、本実施形態では、ケラバ基材１の受け部３と、ケラバ化粧材１１の係合部１４とは、受け部３に対する係合部１４の位置が、図３に示す第一の高さ位置にある状態と、図４に示す第二の高さ位置にある状態とで、選択的に係合する。すなわち、ケラバ基材１とケラバ化粧材１１が係合する位置を上下の二箇所の高さから選択することができるものである。これにより、ケラバ部材Ａの高さを、屋根葺き材６０の高さに応じて、二段階の高さで調節することができるものである。
【００３０】
また、本実施形態では、化粧垂下片１３に、二つの化粧材側固定部１５が形成され、ケラバ化粧材１１が第一の高さ位置にある状態では、基材側固定部５が第一の化粧材側固定部１５ａと係合し、第二の高さ位置にある状態では、基材側固定部５が第二の化粧材側固定部１５ｂと係合する。このため、ケラバ化粧材１１の高さ位置が変更されても、ケラバ化粧材１１と、ケラバ基材１との連結強度を強固なものにすることができる。
【００３１】
尚、ケラバ基材１の第一の受け片６に形成されている凸部の数は、二個に限られず、第一の受け片６に、上下の高さ方向に並ぶ三個以上の複数の凸部が形成されていてもよい。この場合、ケラバ化粧材１１の高さ位置を、二段階以上の多段階に調整することが可能になる。これにより、ケラバ部材Ａの高さを、屋根葺き材６０の高さに応じて、任意の高さで調節することができ、ケラバ部材Ａの取り付け位置の自由度がより増加するものである。
【００３２】
また、上記のように第一の受け片６に、三つ以上の凸部が形成される場合は、ケラバ化粧材１１の化粧垂下片１３に、上下の高さ方向に並ぶ三個以上の複数の化粧材側固定部１５が形成されていることが好ましい。この場合、ケラバ基材１の受け部３に対するケラバ化粧材１１の係合部１４の高さ位置に応じて、複数の化粧材側固定部１５の中から最適な一つの化粧材側固定部１５を選択し、これを基材側固定部５と係合させることができる。このため、ケラバ化粧材１１の高さ位置が多段階で調整される場合でも、ケラバ化粧材１１と、ケラバ基材１との連結強度を強固なものにすることができる。
【００３３】
上記図３及び図４に示す実施の形態では、ケラバ基材１が捨板水切４を備えた構造を説明したが、本発明はこれに限られない。例えば、図５に示すように、捨板水切４がケラバ基材１に一体に形成されていなくてもよい。この場合は、ケラバ部材Ａとは別に、捨て水切りを屋根に取り付けることが好ましい。
【符号の説明】
【００３４】
Ａ  ケラバ部材
１  ケラバ基材
２  固定板
３  受け部
４  捨板水切
５  基材側固定部
１１  ケラバ化粧材
１２  化粧上片
１３  化粧垂下片
１４  係合部
１５  化粧材側固定部
２０  野地板
【図１】
0006039252.tif 000002
【図２】
0006039252.tif 000003
【図３】
0006039252.tif 000004
【図４】
0006039252.tif 000005
【図５】
0006039252.tif 000006
【図６】
0006039252.tif 000007